(57)【要約】【課題】外径寸法の小型化が図れ、厚みの薄型化も図れるクリック機能付き電子部品を提供すること。【解決手段】ケース５０と、ケース５０を覆う回転つまみ１０と、ケース５０の回転つまみ１０を設置した反対面側に設置されて回転つまみ１０と一体に回転するクリック板７０と、回転つまみ１０及びクリック板７０の回転によって電気的出力を変化する摺動子１１０等からなる電気的機能部と、回転つまみ１０の中央に設けた開口部１３内に設置される押釦つまみ３０と、押釦つまみ３０によってオンオフされる中央スイッチ１８３と、を具備する。回転つまみ１０の開口部１３の押釦つまみ３０の下側の空間Ｃに、回転つまみ１０と一体に回転するクリック弾接部７９と、クリック弾接部７９が回転しながら弾接してクリック感覚を生じさせるクリック係合部１６５とを有するクリック機構を設置する。【選択図】図２
2011134574.tif 000002
【特許請求の範囲】
【請求項１】
ケースと、前記ケースを覆う回転つまみと、前記ケースの前記回転つまみを設置した反対面側に設置されて前記回転つまみと一体に回転する回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、を具備する電子部品において、
前記回転つまみの開口部の前記押釦つまみの下側の空間に、前記回転つまみと一体に回転するクリック弾接部と、このクリック弾接部が回転しながら弾接してクリック感覚を生じさせるクリック係合部とを有してなるクリック機構を設置したことを特徴とするクリック機能付き電子部品。
【請求項２】
請求項１に記載のクリック機能付き電子部品において、
前記回転体は、前記クリック弾接部を有するクリック板で構成され、
一方前記電気的機能部は、前記クリック板に取り付けられる摺動子と、この摺動子に対向する位置に設置される回路基板に設けられて前記摺動子に摺接する摺接パターンと、を具備して構成されていることを特徴とするクリック機能付き電子部品。
【請求項３】
請求項２に記載のクリック機能付き電子部品において、
前記ケースを載置する取付台と、この取付台を揺動自在に支持する支持部材と、前記取付台の揺動によって押圧される押圧スイッチと、をさらに具備していることを特徴とするクリック機能付き電子部品。
【発明の詳細な説明】
【技術分野】
【０００１】
本発明は、回転式電子部品と押圧式電子部品の機能を併せ持ち、且つ外径寸法の小型化が図れるクリック機能付き電子部品に関するものである。
【背景技術】
【０００２】
車載用ナビゲーションシステム、コンピュータ、各種携帯機器、各種ＯＡ機器、ゲーム機等を操作するデバイスとして、例えば特許文献１に示すように、回転式電子部品の回転つまみ（２１０）の中央に押圧式電子部品の押釦つまみ（１８０）を設置することで回転式電子部品と押圧式電子部品の機能を併せ持つ多機能型の電子部品が利用されている。
【先行技術文献】
【特許文献】
【０００３】
【特許文献１】特開２００９−１４６６４９号公報
【発明の概要】
【発明が解決しようとする課題】
【０００４】
しかしながら上記特許文献１に示す従来の多機能型の電子部品においては、その図１に示すように、回転つまみ（２１０）の回転と一体に回転するクリックバネ（１２０）のクリック弾接部（１３１）と、クリック弾接部（１３１）が弾接するケース（１５０）のクリック係合部（１５９）とによって構成されるクリック機構を、ケース（１５０）の外周近傍部分に設けなければならないので、その外径の小型化が図りにくく、さらなる外径の小型化の要望に答えることができなかった。
【０００５】
また上記特許文献１に示す従来の多機能型の電子部品においては、第１回路基板（３１）の上に、摺動子（１００）を取り付けた成形樹脂製の回転体（９０）と、クリックバネ（１２０）と、ケース（１５０）と、操作つまみ（２１０）とを重ね合わせているので、それら全体の厚みの薄型化には限界があり、さらなる厚みの薄型化の要望に答えることができなかった。
【０００６】
本発明は上述の点に鑑みてなされたものでありその目的は、外径寸法の小型化が図れ、さらには厚みの薄型化も図れるクリック機能付き電子部品を提供することにある。
【課題を解決するための手段】
【０００７】
本願請求項１に記載の発明は、ケースと、前記ケースを覆う回転つまみと、前記ケースの前記回転つまみを設置した反対面側に設置されて前記回転つまみと一体に回転する回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、を具備する電子部品において、前記回転つまみの開口部の前記押釦つまみの下側の空間に、前記回転つまみと一体に回転するクリック弾接部と、このクリック弾接部が回転しながら弾接してクリック感覚を生じさせるクリック係合部とを有してなるクリック機構を設置したことを特徴とするクリック機能付き電子部品にある。
【０００８】
本願請求項２に記載の発明は、請求項１に記載のクリック機能付き電子部品において、前記回転体は、前記クリック弾接部を有するクリック板で構成され、一方前記電気的機能部は、前記クリック板に取り付けられる摺動子と、この摺動子に対向する位置に設置される回路基板に設けられて前記摺動子に摺接する摺接パターンと、を具備して構成されていることを特徴とするクリック機能付き電子部品にある。
【０００９】
本願請求項３に記載の発明は、請求項２に記載のクリック機能付き電子部品において、前記ケースを載置する取付台と、この取付台を揺動自在に支持する支持部材と、前記取付台の揺動によって押圧される押圧スイッチと、をさらに具備していることを特徴とするクリック機能付き電子部品にある。
【発明の効果】
【００１０】
請求項１に記載の発明によれば、クリック機構を、回転つまみ中央の開口部の押釦つまみの下側の空間（押釦つまみを上下動させるために必要な空き空間）に設置したので、ケースの外周近傍部分にクリック機構を設置する必要がなく、クリック機能付き電子部品の外径の小型化が図れる。
【００１１】
請求項２に記載の発明によれば、回転体をクリック板で構成するとともに、摺動子をこのクリック板に取り付けたので、従来設置していた成形樹脂製の回転体が不要になり、クリック機能付き電子部品の厚みの薄型化が図れる。
【００１２】
請求項３に記載の発明によれば、回転式電子部品と押圧式電子部品と揺動式電子部品の機能を一体化した多機能型の電子部品の外径の小型化と厚みの薄型化とを図ることができる。
【図面の簡単な説明】
【００１３】
【図１】クリック機能付き電子部品１の斜視図である。
【図２】クリック機能付き電子部品１の概略側断面図である。
【図３】クリック機能付き電子部品１の上側の部品を上側から見た分解斜視図である。
【図４】クリック機能付き電子部品１の下側の部品を上側から見た分解斜視図である。
【図５】クリック機能付き電子部品１の上側の部品を下側から見た分解斜視図である。
【図６】クリック機能付き電子部品１の下側の部品を下側から見た分解斜視図である。
【発明を実施するための形態】
【００１４】
以下、本発明の実施形態を図面を参照して詳細に説明する。図１は本発明の１実施形態に係るクリック機能付き電子部品１の斜視図、図２はクリック機能付き電子部品１の概略側断面図（図１のＡ−Ａ概略断面図）、図３はクリック機能付き電子部品１の上側の部品を上側から見た分解斜視図、図４はクリック機能付き電子部品１の下側の部品を上側から見た分解斜視図、図５はクリック機能付き電子部品１の上側の部品を下側から見た分解斜視図、図６はクリック機能付き電子部品１の下側の部品を下側から見た分解斜視図である。なお以下の説明において、「上」とはケース５０から見てその上に覆うように設置される回転つまみ１０の方向をいい、「下」とはその反対方向をいうものとする。
【００１５】
これらの図に示すようにクリック機能付き電子部品１は、回転つまみ１０と、押釦つまみ３０と、ケース５０と、回転体（以下「クリック板」という）７０と、摺動子１１０と、支持部材１３０と、取付台１５０と、回路基板（以下「フレキシブル回路基板」という）１７０と、保持部材（以下「保持板」という）１９０とを具備して構成されている。以下各構成部品について説明する。
【００１６】
回転つまみ１０は合成樹脂の成形品であり、略円板状の本体部１１の中央に円形の開口部１３を設けて構成されている。回転つまみ１０の開口部１３は、内部に下記する押釦つまみ３０の本体部３１を挿通できるように本体部３１の外径寸法とほぼ同じ内径寸法を有しており、且つ本体部３１に設けた下記するつば部３７が上方に抜けないようにつば部３７の外径寸法よりも若干小さい内径寸法に形成されている。一方、本体部１１の外周には下方に突出する筒状の外周側壁部１６が形成され、また本体部１１の下面の開口部１３の周囲には筒状に突出する押釦つまみ収納部１５が形成され、押釦つまみ収納部１５の外周を囲む位置には筒状に突出する軸部１７が形成されている。押釦つまみ収納部１５の下端辺の１８０°対向する位置には、矩形凹状に切り欠かれてなる連結部挿入部１４が形成されている。軸部１７の下端辺の複数位置（この例では３か所）には、この回転つまみ１０にクリック板７０と摺動子１１０とを取り付ける小突起状の取付部１９が設けられている。
【００１７】
押釦つまみ３０は合成樹脂の成形品であり、略円板状の本体部３１と、本体部３１の下面中央から下方向に向かって突出する柱状の押圧部３３とを具備し、本体部３１の上面を指などで押圧操作する操作部３５とし、本体部３１の外周面の下部に薄板リング状に突出するつば部３７を設けて構成されている。押圧部３３の外周側面には上下方向に沿って延びる細い柱状の回り止め３９が設けられている。
【００１８】
ケース５０は合成樹脂の成形品であり、円形平板状の上面部５１を備え、上面部５１の中央に回転つまみ１０の軸部１７をその内部に挿入して回動自在に軸支する円形の開口部５３を設け、また上面部５１の外周に下方向に向かって突出する筒状の側壁部５５を設け、さらに側壁部５５の下端辺の複数位置（この例では等間隔の４か所の位置）に下記する取付台１５０に取り付けられる小突起状の取付台取付部５７を設けて構成されている。開口部５３の内周部分は下方向に少し筒状に突出しており、そのリング状の下端面がクリック板当接部５９となっている。
【００１９】
クリック板７０は１枚の弾性金属板（例えばステンレス板）製であり、リング形状に形成された取付部７１と、取付部７１の中央の円形の開口７３内に設置されたリング形状の弾接アーム部７５とを、一対の連結部７７によって連結して構成されている。一対の連結部７７は、１８０°対向する位置において、取付部７１の内周辺と弾接アーム部７５の外周辺とを連結している。弾接アーム部７５の１８０°対向する位置（前記連結部７７より９０°回転した位置）には、それぞれ下方向に向かって凸状に湾曲・突出してなるクリック弾接部７９が設けられている。取付部７１の外径寸法は、前記ケース５０の開口部５３の内径寸法よりも少し大きく構成されている。取付部７１の前記回転つまみ１０の各取付部１９に対向する位置には、各取付部１９を挿入する小孔からなる被取付部８１が設けられている。取付部７１の外周の１８０°対向する位置からは、半径方向外方に向かって突出する一対の突出部８３が設けられている。
【００２０】
摺動子１１０は弾性金属板製であり、前記クリック板７０の取付部７１の外径寸法よりも若干小さな外径寸法を有する略円形の平板リング状に形成され、中央に開口部１１１を設けるとともに、等間隔（１２０°間隔）の３か所の位置（前記クリック板７０の被取付部８１に対向する位置）に小孔からなる取付固定部１１３を設け、また各取付固定部１１３の側部から３本ずつの摺接ブラシ１１５を摺動子１１０の円形の外形に沿うように配置して構成されている。各組の摺接ブラシ１１５の先端近傍部分は接点部１１７となっている。
【００２１】
支持部材１３０は合成樹脂を略矩形状に成形し、その中央に略円形の開口１３１を設けて構成されている。開口１３１の内径寸法は、回転つまみ１０やケース５０や取付台１５０（係合片１５９の部分を除く）の外径寸法よりも少し大きく形成されている。支持部材１３０の下面の４つの角部近傍には、開口１３１につながる４つの凹状の係合部１３５が設けられている。係合部１３５の寸法形状は下記する取付台１５０の係合片１５９を所定の短い寸法だけ上下動自在で平面方向には移動しない状態で挿入できる寸法形状である。支持部材１３０の下面の各係合部１３５の近傍位置（６か所）には、下方向に突出する小突起状の取付部１３７が設けられている。支持部材１３０の下面の一部には、凹部からなる基板挿入部１３９が設けられている。
【００２２】
取付台１５０は合成樹脂を略円板状に成形して構成されており、ケース５０とほぼ同一の外形寸法を有している。取付台１５０の中央には押釦つまみ３０の押圧部３３を挿通して軸支する開口部１５１が設けられ、上面の開口部１５１の周囲には上方向に向かって突出する筒状の突起からなる軸部１５３が設けられている。軸部１５３の側面には、前記押釦つまみ３０の回り止め３９に係合する軸方向（上下方向）に延びるスリット及び溝からなる回り止め係合部１５５が形成されている。一方前記ケース５０の各取付台取付部５７に対向する複数の位置（この例では４か所の位置）には、貫通孔からなる取付部１５７が設けられ、また外周の所定位置（本例では各取付部１５７の外側の４か所の位置であって、前記支持部材１３０の各係合部１３５に対向する位置）には、半径方向外方に向かって舌片状に突出する係合片１５９が設けられている。取付台１５０の下面の各取付部１５７の間の所定位置（各取付部１５７間の中間位置）には、下方向に向かって突出する柱状の押圧部１６３が設けられている。取付台１５０の上面の前記軸部１５３の周囲には、複数の凹凸をリング状に形成してなるクリック係合部１６５が設けられている。
【００２３】
フレキシブル回路基板１７０は可撓性を有する合成樹脂フイルム上に所望の回路パターンを設けて構成されており、この例では合成樹脂フイルムとして熱可塑性のＰＥＴ（ポリエチレンテレフタレート）フイルムを用いているが、他の各種熱可塑性、熱硬化性、光硬化性の合成樹脂フイルムを用いて構成しても良い。フレキシブル回路基板１７０は、摺接パターン１７９が形成された第１回路基板部１７１と、中央スイッチ１８３とその周囲を囲む４つの押圧スイッチ１８５とが形成された第２回路基板部１７５とを、帯状の連結部１７３によって連結して構成されている。
【００２４】
第１回路基板部１７１は略円形の外形を有し、中央に取付台１５０の軸部１５３とクリック係合部１６５とを挿通（露出）する円形の開口部１７７を設け、またその下面の開口部１７７の周囲に所望の摺接パターン１７９を設けて構成されている。摺接パターン１７９は、図では詳細な記載を省略しているが、スイッチパターンや抵抗体パターンなどである。第１回路基板部１７１の前記ケース５０の各取付台取付部５７に対向する４か所の位置には、貫通孔または切り欠きからなる挿通部１８１が設けられている。
【００２５】
第２回路基板部１７５は第１回路基板部１７１とほぼ同じ大きさで略矩形状の外形を有し、その上面（前記摺接パターン１７９を設けた反対側の面）の中央に中央スイッチ１８３を設置し、中央スイッチ１８３の周囲の複数の位置（この例では同一円周上の等間隔（９０°間隔）の４か所の位置）に押圧スイッチ１８５を設置して構成されている。中央スイッチ１８３と押圧スイッチ１８５は何れも同一構造であり、図示しない一対のスイッチ接点上に弾性金属板をドーム形状に形成してなる反転板（可動接点板）１８３ａ，１８５ａを取り付けて構成されており、反転板１８３ａ，１８５ａを押圧してこれを反転することでスイッチがオンする構造となっている。また第２回路基板部１７５の前記支持部材１３０の３つの取付部１３７に対向する位置には、貫通孔からなる挿通部１８７が形成されている。なお中央スイッチ１８３と押圧スイッチ１８５の出力は図示しない回路パターンによって第２回路基板部１７５の外周に連結した帯状の引出部１８９に引き出されている。
【００２６】
保持板１９０は硬質板で構成され、この例では金属板（ステンレス板）を用いているが、合成樹脂板等の他の材質を用いても良い。保持板１９０は略矩形状であり、前記第２回路基板部１７５を載置する寸法形状に形成され、前記支持部材１３０の６か所の取付部１３７に対向する位置に貫通孔からなる挿入取付部１９１を設けるとともに、それら以外の場所に２つの取付孔１９３を設けて構成されている。
【００２７】
次にクリック機能付き電子部品１の組立方法を説明する。まず回転つまみ１０の開口部１３の押釦つまみ収納部１５の下側から押釦つまみ３０の本体部３１を挿入し、操作部３５を開口部１３から回転つまみ１０の上面側に露出させた状態で設置する。次に回転つまみ１０及び押釦つまみ３０の下側にケース５０を設置し、その際ケース５０の開口部５３内に上側から回転つまみ１０の軸部１７を挿入することでケース５０の上部に回転つまみ１０を回動自在に設置する。
【００２８】
次にケース５０の下面側にクリック板７０を設置し、その際押釦つまみ３０の押圧部３３をクリック板７０の弾接アーム部７５の中央の孔に挿通させながらクリック板７０の一対の連結部７７を回転つまみ１０の連結部挿入部１４に挿入することで、弾接アーム部７５を押釦つまみ収納部１５内に収納すると同時に、クリック板７０の取付部７１を回転つまみ１０の軸部１７の下端辺上に設置して各取付部１９を被取付部８１に挿通する。次にクリック板７０の下面側にこれに重ねるように摺動子１１０を設置し、その際回転つまみ１０の各取付部１９を摺動子１１０の各取付固定部１１３に挿入して各取付部１９の先端を熱かしめすることで潰し、これによって回転つまみ１０にクリック板７０と摺動子１１０とを一体に固定する。このときクリック板７０の取付部７１はその外周近傍部分がケース５０のクリック板当接部５９に当接しており、従って回転つまみ１０とクリック板７０及び摺動子１１０はケース５０を挟んでその上下に位置し、ケース５０に対して一体に回動自在となる。また押釦つまみ収納部１５はクリック板７０の弾接アーム部７５によって一部が塞がれるので、押釦つまみ３０の本体部３１は押釦つまみ収納部１５内から抜け出ることはない。
【００２９】
次に図４に示すフレキシブル回路基板１７０の第１回路基板部１７１をその下面を上に向けた状態で取付台１５０上に載置し、その際第１回路基板部１７１の開口部１７７に取付台１５０の軸部１５３及びクリック係合部１６５を挿通し、これらを前記回転つまみ１０等を取り付けたケース５０の下側に設置する。その際ケース５０の各取付台取付部５７を第１回路基板部１７１の各挿通部１８１と取付台１５０の各取付部１５７に挿入し、取付台１５０の下面から突出する各取付台取付部５７の先端を熱かしめして固定する。このとき押釦つまみ３０の押圧部３３は取付台１５０の軸部１５３の内部（開口部１５１内）に挿入され押圧部３３の下端は取付台１５０の下面に露出する。次に連結部１７３を折り曲げることで第２回路基板部１７５を取付台１５０の下面側に設置し、さらに第２回路基板部１７５の下面側に保持板１９０を設置した上で、回転つまみ１０の上部から被せるように支持部材１３０を第２回路基板部１７５上に設置する。このとき支持部材１３０の開口１３１内に前記ケース５０や取付台１５０等が設置され、また支持部材１３０の各係合部１３５内に取付台１５０の各係合片１５９が所定の短い寸法上下動自在に挿入され、さらに支持部材１３０の各取付部１３７が第２回路基板部１７５の各挿通部１８７と保持板１９０の各挿通部１９１に挿入される。またこのとき折り曲げた連結部１７３は支持部材１３０の基板挿入部１３９に位置する。そして保持板１９０の下面から突出する各取付部１３７の先端を熱かしめすれば、クリック機能付き電子部品１の組立が完了する。なお上記組立手順はその一例であり、他の各種異なる組立手順を用いて組み立てても良いことはいうまでもない。
【００３０】
これによりケース５０の上部に設置した回転つまみ１０と、ケース５０の下部に設置したクリック板７０及び摺動子１１０が、ケース５０の上下でケース５０に対して一体に回転自在に設置される。またこのときクリック板７０のクリック弾接部７９は取付台１５０のクリック係合部１６５に弾接係合した状態となり、また摺動子１１０の接点部１１７は第１回路基板部１７１の摺接パターン１７９に当接した状態となっている。また押釦つまみ３０の押圧部３３の下面は中央スイッチ１８３の反転板１８３ａに当接して上方向に押し上げられ、つば部３７の上面が回転つまみ１０の下面に接近又は当接している。また取付台１５０は各押圧部１６３が各押圧スイッチ１８５の反転板１８５ａに当接して水平状態を保っている。
【００３１】
そして回転つまみ１０の本体部１１を指などで回転すれば、クリック板７０と摺動子１１０とが回転つまみ１０と一体に回転し、摺動子１１０の接点部１１７が摺接パターン１７９上を摺動して摺接パターン１７９の電気的出力が変化する。同時に、クリック板７０のクリック弾接部７９が取付台１５０のクリック係合部１６５に弾接係合してクリック感覚が生じる。
【００３２】
一方押釦つまみ３０の操作部３５を押圧すれば、押釦つまみ３０が下降してその押圧部３３が中央スイッチ１８３の反転板１８３ａを押圧して反転し、中央スイッチ１８３がオンする。押釦つまみ３０への押圧を解除すれば反転板１８３ａの弾性復帰力によって中央スイッチ１８３はオフする。また回転つまみ１０の本体部１１上面の前記取付台１５０の４か所の押圧部１６３の何れかに対応する部分を押圧すれば、ケース５０や押釦つまみ３０等、取付台１５０上に設置されている構成部品が取付台１５０と一体に押圧された方向に傾いて揺動し、下降した側の押圧部１６３が対向する押圧スイッチ１８５の反転板１８３ａを押圧して反転し、押圧スイッチ１８５がオンする。回転つまみ１０への押圧を解除すれば、反転している反転板１８５ａの弾性復帰力によって回転つまみ１０及び取付台１５０等の各構成部品が一体に元の位置に自動復帰し、押圧スイッチ１８５がオフする。
【００３３】
以上説明したようにこのクリック機能付き電子部品１は、図２に示すように、ケース５０と、ケース５０を覆う回転つまみ１０と、ケース５０の回転つまみ１０を設置した反対面側に設置されて回転つまみ１０と一体に回転するクリック板（回転体）７０と、回転つまみ１０及びクリック板７０の回転によって電気的出力を変化する電気的機能部（摺動子１１０と摺接パターン１７９からなる）と、回転つまみ１０の中央に設けた開口部１３内に設置される押釦つまみ３０と、押釦つまみ３０によってオンオフされる中央スイッチ１８３と、を具備し、回転つまみ１０の開口部１３の押釦つまみ３０の下側の空間Ｃに、回転つまみ１０と一体に回転するクリック弾接部７９と、このクリック弾接部７９が回転しながら弾接してクリック感覚を生じさせるクリック係合部１６５とを有してなるクリック機構を設置して構成されている。このように、クリック弾接部７９とクリック係合部１６５とを有してなるクリック機構を、回転つまみ１０中央の開口部１３の押釦つまみ３０の下側の空間Ｃ（押釦つまみ３０を上下動するために必要な空き空間、いわゆるデッドスペース）に設置したので、ケース５０の外周近傍部分にクリック機構を設置する必要がなく、クリック機能付き電子部品１の外径の小型化が図れる。
【００３４】
またこのクリック機能付き電子部品１においては、回転体をクリック板７０で構成するとともに、摺動子１１０をこのクリック板７０に取り付けたので、従来設置していた成形樹脂製の回転体が不要になり、クリック機能付き電子部品１の厚みの薄型化が図れる。
【００３５】
またこのクリック機能付き電子部品１は、ケース５０を載置する取付台１５０と、この取付台１５０を揺動自在に支持する支持部材１３０と、取付台１５０の揺動によって押圧される押圧スイッチ１８５とを具備して構成されており、これによって回転式電子部品と押圧式電子部品と揺動式電子部品の機能を一体化した多機能型のクリック機能付き電子部品１がコンパクト（外径の小型化と厚みの薄型化）に構成されている。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記クリック機能付き電子部品１では、第１回路基板部１７１と第２回路基板部１７５を連結部１７３によって一体に連結しているが、第１回路基板部１７１と第２回路基板部１７５とを別個の回路基板として構成しても良い。その場合、第１回路基板部１７１と第２回路基板部１７５の少なくとも何れかを硬質の回路基板で構成することもできる。
【００３７】
また上記クリック機能付き電子部品１では、厚みの薄型化のためにクリック板７０に成形樹脂製の回転体の機能を兼用させ、このクリック板７０に摺動子１１０を取り付けたが、外径の小型化のみを図る場合は、成形樹脂製の回転体にクリック板と摺動子とを取り付けても良い。
【００３８】
また上記クリック機能付き電子部品１では、電子部品に揺動式電子部品の機能を持たせるために取付台１５０を支持部材１３０によって揺動自在に支持させたが、取付台１５０を揺動自在に支持する構造として他の各種構造を用いても良い。なおこのクリック機能付き電子部品１にかかる支持部材１３０は取付台１５０の外周にこれを囲むように設置するだけの構造なので、構造が簡単で、厚みの薄型化が図れて好適である。さらに電子部品に揺動式電子部品の機能を持たせる必要がない場合は、取付台１５０を支持部材１３０によって揺動自在に支持させる構造や押圧スイッチは不要となる。
【００３９】
また上記クリック機能付き電子部品１では、中央スイッチ１８３や押圧スイッチ１８５を、１枚の合成樹脂フイルム上に形成した接点パターン上に反転板を取り付けることで構成しているが、これらのスイッチは２枚の合成樹脂フイルムを重ね合わせて両合成樹脂フイルムにそれぞれ設けた一対の接点パターンを隙間を介して対向させ、一方の合成樹脂フイルムに設けた接点パターンの裏面側に反転板を設置することで構成されるいわゆるメンブレンスイッチで構成しても良い。
【符号の説明】
【００４０】
１  クリック機能付き電子部品（電子部品）
１０  回転つまみ
１３  開口部
３０  押釦つまみ
５０  ケース
７０  クリック板（回転体）
７１  取付部
７５  弾接アーム部
７９  クリック弾接部（クリック機構）
１１０  摺動子（電気的機能部）
１３０  支持部材
１５０  取付台
１６５  クリック係合部（クリック機構）
１７０  フレキシブル回路基板（回路基板）
１７１  第１回路基板部
１７５  第２回路基板部
１７９  摺接パターン（電気的機能部）
１８３  中央スイッチ
１８５  押圧スイッチ  
１９０  保持板（保持部材）
【図１】
2011134574.tif 000003
【図２】
2011134574.tif 000004
【図３】
2011134574.tif 000005
【図４】
2011134574.tif 000006
【図５】
2011134574.tif 000007
【図６】
2011134574.tif 000008